(57)【要約】【課題】可撓性を有する握持部材の貫通孔内にハンドル本体を移動規制してハンドル本体を取り付けたケ−スを持ち運び易くしたケ−スのハンドルを提供することである。【解決手段】ケ−スのハンドル１は、合成樹脂で可撓性を有するように円筒状に形成された握持部材２の長手方向に形成された貫通孔２ａ内に、合成樹脂で形成されたハンドル本体３の中央側の芯部３ａが圧入されて構成されている。握持部材２の貫通孔２ａは両端に開口が形成され、断面は略円形に形成され、貫通孔２ａの上側の中央側は薄肉部２ｂに形成されて上面側に通じる周方向に略半円で長手方向に略等間隔の複数の係合孔２ｃが形成されている。芯部３ａの両端に脚部３ｂ、３ｃが一体に形成され、芯部３ａの上側に周方向に略半円で長手方向に略等間隔の複数の係合突部３ｄが形成されている。【選択図】        図２
2004357891.tif 000002
【特許請求の範囲】
【請求項１】
可撓性を有し長手方向に貫通孔を設けた握持部材の前記貫通孔にハンドル本体を挿通し、前記ハンドル本体の長手方向の中央側は前記握持部材の貫通孔内に圧入され、前記ハンドル本体の長手方向の両端側は前記中央側より剛性が小さく形成され、前記握持部材の貫通孔から突出していることを特徴とするケ−スのハンドル。
【請求項２】
ハンドル本体は合成樹脂で一体に成形されていることを特徴とする請求項１記載のケ−スのハンドル。
【請求項３】
ハンドル本体の両端側は、中央側より薄肉に形成したことを特徴とする請求項１または２記載のケ−スのハンドル。
【請求項４】
ハンドル本体の中央側と握持部材は、互いに移動を規制する係合部を有していることを特徴とする請求項１乃至３記載のケ−スのハンドル。
【請求項５】
係合部は握持部材に設けた貫通孔から外側に通じる係合孔とハンドル本体に設けた係合突部からなっていることを特徴とする請求項４記載のケ−スのハンドル。
【発明の詳細な説明】
【０００１】
【発明の属する技術分野】
本発明は、握持部材とハンドル本体の組合せからなるケ−スのハンドルの改良に関する。
【０００２】
【従来の技術】
従来からケ−スのハンドルとして、例えば特許文献１で竿ケ−スに取り付けたハンドルが紹介されている。
【特許文献１】特開平２００１−１９０２００号公報
【０００３】
特許文献１には、柔軟性を有する筒状体に芯材が内装され、さらに握持部のゴム筒が外装されている。
しかし、このハンドルは、筒状体が布で形成され、その外側にゴム筒が、その内側に芯材が差し込まれ、ゴム筒と芯材間に布が介在するため、両者が滑りやすい。
しかも、筒状体に、芯材が差し込まれているだけであるため、前記筒状体に対し握持部のゴム筒の形状を保持する芯材がその長手方向に動いたり、周方向に回動したりするおそれがある。
【０００４】
【発明が解決しようとする課題】
解決しようとする課題は、
特許文献１で竿ケ−スに取り付けたハンドルは、布で形成された筒状体に対し芯材がその長手方向に動いたり、周方向に回動したりするおそれがあることである。
【０００５】
本発明の目的は前記欠点に鑑み、可撓性を有する握持部材の貫通孔内にハンドル本体を移動規制してハンドル本体を取り付けたケ−スを持ち運び易くしたケ−スのハンドルを提供することである。
【０００６】
【課題を解決するための手段】
上記課題を解決するために、
請求項１に係わる本発明は、可撓性を有し長手方向に貫通孔を設けた握持部材の前記貫通孔にハンドル本体を挿通し、前記ハンドル本体の長手方向の中央側は前記握持部材の貫通孔内に圧入され、前記ハンドル本体の長手方向の両端側は前記中央側より剛性が小さく形成され、前記握持部材の貫通孔から突出していることを要旨とするものである。
請求項２に係わる本発明は、ハンドル本体は合成樹脂で一体に成形されていることを要旨とするものである。
請求項３に係わる本発明は、ハンドル本体の両端側は、中央側より薄肉に形成したことを要旨とするものである。
請求項４に係わる本発明は、ハンドル本体の中央側と握持部材は、互いに移動を規制する係合部を有していることを要旨とするものである。
請求項５に係わる本発明は、係合部は握持部材に設けた貫通孔から外側に通じる係合孔とハンドル本体に設けた係合突部からなっていることを要旨とするものである。
【０００７】
本発明により、可撓性を有する握持部材２の貫通孔２ａ内にハンドル本体３、３′の中央側を圧入してハンドル本体３、３′に対する握持部材２の移動を規制して握持部を握りやすくし、ハンドル本体３、３′の両端側は中央側より剛性が小さくケ−スが搖れ動いて振動が緩和されるようにしたので、ハンドル本体３、３′を取り付けたケ−ス４、５が持ち運び易くなる。
【０００８】
【発明の実施の形態】
以下、図示の実施例によって本発明を説明すると、図１から図８は第１実施例で、図１はケ−スのハンドルの側面図、図２はケ−スのハンドルの断面図、図３は図２の一部拡大断面側面図、図４は握持部材の側面図、図５は握持部材の断面側面図、図６は図５のＦ６−Ｆ６断面線の断面背面図、図７は図５のＦ７−Ｆ７断面線の断面正面図、図８はケ−スのハンドルが竿ケ−スに固定された側面図である。
【０００９】
ケ−スのハンドル１は、塩化ビニル、ウレタン、エチレン酢酸ビニル等の合成樹脂で可撓性を有するように円筒状に形成された握持部材２の長手方向に形成された貫通孔２ａ内に、塩化ビニル、ウレタン、エチレン酢酸ビニル等の合成樹脂で形成されたハンドル本体３の中央側の握持部材２の長手方向に伸びる芯部３ａが圧入されて構成されている。
【００１０】
握持部材２の貫通孔２ａは両端に開口が形成され、断面は略円形に形成され、貫通孔２ａの上側の中央側は薄肉部２ｂに形成されている。
薄肉部２ｂには貫通孔２ａから握持部材２の上面側に通じる係合孔２ｃが形成され、この係合孔２ｃは握持部材２の周方向に略半円で握持部材２の長手方向に略等間隔に複数形成されている。
ハンドル本体３はその長手方向中央側の芯部３ａと芯部３ａの両端の脚部３ｂ、３ｃが一体に形成され、ハンドル本体３の中央側の芯部３ａは外径が貫通孔２ａの内径より幾分大径に形成され、芯部３ａの上側に係合孔２ｃに嵌合可能な寸法の周方向に略半円で長手方向に略等間隔の複数の係合突部３ｄが形成されて係合突部３ｄの高さは薄肉部２ｂの外周面より幾分突出する高さになっている。
芯部３ａの下方側に長手方向に沿って複数の切り欠き３ｅが設けられている。
柔軟性を有するように中央側の芯部３ａより薄肉又は小径に形成された脚部３ｂ、３ｃの両端には夫々竿ケ−ス４に取り付けるビスや鋲の挿通孔３ｆが穿設されている。
【００１１】
握持部材２の貫通孔２ａにハンドル本体３の芯部３ａが圧入される時は、芯部３ａを握持部材２の可撓性を利用して貫通孔２ａを広げながら差し込み、圧入されて貫通孔２ａ内に保持され握持部材２が動くことを規制する。
しかも、ハンドル本体３の芯部３ａの上方側に握持部材２の貫通孔２ａから上面側に通じる係合孔２ｃに係合する係合突部３ｄがハンドル本体３の芯部３ａに一体に形成され、ハンドル本体３の芯部３ａが握持部材２の貫通孔２ａに差し込まれたときに係合孔２ｃと係合突部３ｄの両者が係合される。
この係合によって、ハンドル本体３と握持部材２が位置決めされ、握持部材２の移動が規制され、ハンドル本体３の長手方向への移動及び周方向への移動が防止される。
しかも、係合突部３ｄが握持部材２の係合孔２ｃから握持部材２の外方に突出するように設けられているため握持部材２の移動が確実に規制される。
【００１２】
なお、ハンドル本体３の中央側の芯部３ａは、握持部材２の貫通孔２ａに差し込まれて、握ったときに握持部材２の形状が保持され、しっかりした握持感が得られるように握持部材２より大きな剛性（曲げ剛性）を有している。
ハンドル本体３の両端側に一体に形成された脚部３ｂ、３ｃは、竿ケ−ス４に（直接または止着部材を介して間接的に）取り付けられており、ハンドル本体３の中央側に比べて剛性が小さく、歪みやすくなっており、さらに、柔軟性を有するように薄肉又は小径の円や楕円に形成され、又、さらに薄肉のベルト状を呈してもよい。
したがって、握持部材２を握って竿ケ−ス４を持ち運ぶとき握持部材２の変形が防止されて握りやすく、脚部３ｂ、３ｃの歪みで竿ケ−ス４が搖れ動くためケ−スの振動が緩和されて疲れない。
【００１３】
ハンドル本体３の中央側の下方側に長手方向に沿って複数の切り欠き３ｅが設けられていると、握持部材２を握って竿ケ−ス４を持ち運ぶとき手の平の形状に合致するように上方が突となる湾曲状に曲がる（歪む）ようになり手が痛まず握持しやすくなる。
なお、ハンドル本体３の中央側の芯部３ａは、はじめからハンドル本体３の成型時に上方が突となる湾曲状に形成してもよい。
なお、上記構成に加えてさらに、握持部材２の貫通孔２ａとハンドル本体３の中央側の両方または何れか一方を非円形に形成して握持部材２の移動を規制してもよい。
握持部材２の薄肉部２ｂの外周面からハンドル本体３の係合突部３ｄを幾分突出させると、釣具の竿ケ−ス４の場合、餌が係合孔２ｃに入らず、潮が入って固まることもない。
【００１４】
前記のようにケ−スのハンドルが構成されると、可撓性を有する握持部材２の貫通孔２ａ内にハンドル本体３の中央側を圧入してハンドル本体３に対する握持部材２の移動を規制して握持部を握りやすくし、ハンドル本体３の両端側は中央側より剛性が小さくケ−スが搖れ動いて振動が緩和されるようにしたので、ハンドル本体３を取り付けたケ−ス４を持ち運び易くなる。
【００１５】
図９から図１４は第２実施例で、図９はトランク型のケ−スに取り付けたケ−スのハンドルの側面図、図１０はケ−スのハンドルの平面図、図１１はケ−スのハンドルの分解断面側面図、図１２はトランク型のケ−スに取り付けたケ−スのハンドルの断面側面図、図１３は図１２の一部拡大断面側面図、図１４は図１３のＦ１４−Ｆ１４断面線の正面図である。
【００１６】
第２実施例でケ−スのハンドル１′は、塩化ビニル、ウレタン、エチレン酢酸ビニル等の合成樹脂で可撓性を有するように円筒状に形成された握持部材２の長手方向に形成された貫通孔２ａ内に、塩化ビニル、ウレタン、エチレン酢酸ビニル等の合成樹脂で形成されたハンドル本体３′の棒状の芯部３ｇの中央側が圧入され、芯部３ｇの中心に長手方向の角形の貫通孔３ｈが穿設されて貫通孔３ｈ内にハンドル本体３′の織布製のベルト部３″が挿通固定されて構成されている。
芯部３ｇから突出したベルト部３″が第１実施例の脚部３ｂ、３ｃに該当する部分であり、芯部３ｇより剛性が小さく歪んだり、曲ったりしやすい。
芯部３ｇは握持部材２の長さの中に納められている。
ベルト部３″の両端はトランク型のケ−ス５に鋲等で取り付けられている。
他の構成は前記第１実施例と略同一である。
【００１７】
ベルト部３″はハンドル本体３′の芯部３ｇの成形時にインサ−ト成形で固定したり、又、接着で固定してもよく、互いにずれて動いてしまうことが防止されている。
【００１８】
【発明の効果】
本発明は、以上説明したような形態で実施され、以下に記載されるような効果を奏する。
【００１９】
可撓性を有する握持部材の貫通孔内にハンドル本体の中央側を圧入してハンドル本体に対する握持部材の移動を規制して握持部を握りやすくし、ハンドル本体の両端側は中央側より剛性が小さくケ−スが搖れ動いて振動が緩和されるようにしたので、ハンドル本体を取り付けたケ−スが持ち運び易くなる。
【図面の簡単な説明】
【図１】第１実施例で、ケ−スのハンドルの側面図である。
【図２】同ケ−スのハンドルの断面図である。
【図３】同図２の一部拡大断面側面図である。
【図４】同握持部材の側面図である。
【図５】同握持部材の断面側面図である。
【図６】同図５のＦ６−Ｆ６断面線の断面背面図である。
【図７】同図５のＦ７−Ｆ７断面線の断面正面図である。
【図８】同ケ−スのハンドルが竿ケ−スに固定された側面図である。
【図９】第２実施例で、トランク型のケ−スに取り付けたケ−スのハンドルの側面図である。
【図１０】同ケ−スのハンドルの平面図である。
【図１１】同ケ−スのハンドルの分解断面側面図である。
【図１２】同トランク型のケ−スに取り付けたケ−スのハンドルの断面側面図である。
【図１３】同図１２の一部拡大断面側面図である。
【図１４】同図１３のＦ１４−Ｆ１４断面線の正面図である。
【符号の説明】
１、１′  ケ−スのハンドル
２  握持部材
２ａ  貫通孔
２ｃ  係合孔
３、３′  ハンドル本体
３ｄ  係合突部
４、５  ケ−ス
【図１】
2004357891.tif 000003
【図２】
2004357891.tif 000004
【図３】
2004357891.tif 000005
【図４】
2004357891.tif 000006
【図５】
2004357891.tif 000007
【図６】
2004357891.tif 000008
【図７】
2004357891.tif 000009
【図８】
2004357891.tif 000010
【図９】
2004357891.tif 000011
【図１０】
2004357891.tif 000012
【図１１】
2004357891.tif 000013
【図１２】
2004357891.tif 000014
【図１３】
2004357891.tif 000015
【図１４】
2004357891.tif 000016